(57)【要約】【課題】仕切板の着脱が容易で、かつ移動が安定する収納箱の仕切構造及び収納箱を提供する。【解決手段】仕切構造１を、引き出し１００に係止される第一の仕切板８と、第一の仕切板８に着脱かつ摺動可能に係合される第二の仕切板９と、で構成する。  第一の仕切板８を、上端部に形成された摺動ガイド部１０と、摺動ガイド部の下方に形成された平板状の本体部１１と、で構成する。第二の仕切板９を、第一の仕切板８と摺接する摺動板１９と、摺動板１９の上部に形成され摺動ガイド部１０を外嵌する嵌合部２０と、摺動板１９から第二の仕切板９の摺動方向と直交する方向に突出する板部２１と、で構成する。【選択図】図１
2012076800.tif 000002
【特許請求の範囲】
【請求項１】
収納箱に係止される第一の仕切板と、該第一の仕切板に着脱かつ摺動可能に係合される第二の仕切板と、を備える収納箱の仕切構造であって、
前記第一の仕切板は、上端部に形成された摺動ガイド部と、該摺動ガイド部の下方に形成された平板状の本体部と、を備え、
前記第二の仕切板は、前記第一の仕切板と摺接する摺動板と、該摺動板の上部に形成され前記摺動ガイド部の外側に嵌合される嵌合部と、前記摺動板から前記第二の仕切板の摺動方向と直交する方向に突出する板部と、を備えていることを特徴とする収納箱の仕切構造。
【請求項２】
前記第一の仕切板の前記摺動ガイド部は、断面略コ字状又は断面逆Ｕ字状に形成され、
前記第二の仕切板の前記嵌合部が、それぞれ対応する断面略コ字状又は断面逆Ｕ字状に形成されていることを特徴とする請求項１記載の収納箱の仕切構造。
【請求項３】
前記第二の仕切板の前記嵌合部の自由端部には、前記摺動板側に突出して前記摺動ガイド部の自由端部と係合する突辺が設けられていることを特徴とする請求項１又は２記載の収納箱の仕切構造。
【請求項４】
前記摺動ガイド部と前記本体部の間には、前記摺動ガイド部が突出する側と同一の側に少なくとも前記本体部と前記摺動ガイド部の自由端部との間隔と同じ長さ分突出する逃がしガイド部が形成されていることを特徴とする請求項２記載の収納箱の仕切構造。
【請求項５】
前記第一の仕切板の左右端部と下端部には、前記収納箱と係合可能な係止片が配設されていることを特徴とする請求項１、２、３又は４記載の収納箱の仕切構造。
【請求項６】
前記第一の仕切板の左右端部と下端部には、前記収納箱と係合可能な係止片が配設され、
前記第一の仕切板の左右端部の各係止片が、前記逃がしガイド部に配設され、
前記第一の仕切板の下端部の係止片が、前記本体部に配設されていることを特徴とする請求項５記載の収納箱の仕切構造。
【請求項７】
請求項１、２、３、４、５又は６のいずれか一項に記載の収納箱の仕切構造を備えていることを特徴とする収納箱。
【請求項８】
底壁部と、該底壁部と連接して対向する一対の側壁部と、該各側壁部を連結する背壁部と、該背壁部と対向する前壁部と、を備え、
少なくとも各前記側壁部と、前記背壁部の上端部には、前記第二の仕切板の前記嵌合部が外嵌される外縁ガイド部が設けられ、
少なくとも前記底壁部と、各前記側壁部には、前記第一の仕切板と係合可能な係止孔が配設されていることを特徴とする請求項７記載の収納箱。
【請求項９】
前記底壁部に配設された係止孔は、平面視において、各前記側壁部に配設された対向する位置にある前記係止孔どうしを結んだ線上から外れた位置に形成されていることを特徴とする請求項８記載の収納箱。
【発明の詳細な説明】
【技術分野】
【０００１】
本発明は、変動する収納物の量、サイズにフレキシブルに対応できる収納箱の仕切構造及び収納箱に関するものである。
【背景技術】
【０００２】
従来の引き出しの仕切り装置として、特許文献１に記載されるものがあった。
【０００３】
特許文献１において、相対する前壁部及び後壁部間に第１の仕切り部材が掛け渡され、第１の仕切り部材に第２の仕切り部材が前後方向に移動可能に設けられていた。第１の仕切り部材は仕切り本体面と、仕切り本体面の上下両縁側に形成された上下一対のガイド溝とを備え、第２の仕切り部材は、ガイド溝に係合可能な上下幅を備えたスライド板と、これに一体的に設けられた可動仕切り面と、を備えていた。スライド板は途中に傾斜面部を備えて板ばね作用を発揮しうるようになっていた。
【先行技術文献】
【特許文献】
【０００４】
【特許文献１】特開平１１−１２７９９９号公報
【発明の概要】
【発明が解決しようとする課題】
【０００５】
しかし、上記の仕切り装置では、第２の仕切り部材のスライド板の前後何れかの端部を第１の仕切り部材の前端又は後端より差し込んで、第１の仕切り部材と第２の仕切り部材とを係合して、一体化させてから引き出しに装着しなければならず、仕切り装置の装着がスムーズにいかないという問題があった。
【０００６】
また、第２の仕切り部材のスライド板は、第１の仕切り部材のガイド溝の溝幅よりも大きく屈曲して、板ばね作用を有しているので、第２の仕切り部材を移動させた時に、第２の仕切り部材のスライド板が弾性変形しその移動が安定しないという問題があった。
【０００７】
本発明は、上記事情に鑑み、仕切板の着脱が容易で、かつ移動が安定する収納箱の仕切構造及び収納箱を提供するものである。
【課題を解決するための手段】
【０００８】
請求項１記載の発明は、収納箱に係止される第一の仕切板と、該第一の仕切板に着脱かつ摺動可能に係合される第二の仕切板と、を備える収納箱の仕切構造であって、
前記第一の仕切板は、上端部に形成された摺動ガイド部と、該摺動ガイド部の下方に形成された平板状の本体部と、を備え、
前記第二の仕切板は、前記第一の仕切板と摺接する摺動板と、該摺動板の上部に形成され前記摺動ガイド部の外側に嵌合される嵌合部と、前記摺動板から前記第二の仕切板の摺動方向と直交する方向に突出する板部と、を備えていることを特徴とする。
【０００９】
請求項２記載の発明は、前記第一の仕切板の前記摺動ガイド部は、断面略コ字状又は断面逆Ｕ字状に形成され、前記第二の仕切板の前記嵌合部が、それぞれ対応する断面略コ字状又は断面逆Ｕ字状に形成されていることを特徴とする。
【００１０】
請求項３記載の発明は、前記第二の仕切板の前記嵌合部の自由端部には、前記摺動板側に突出して前記摺動ガイド部の自由端部と係合する突辺が設けられていることを特徴とする。
【００１１】
請求項４記載の発明は、前記摺動ガイド部と前記本体部の間には、前記摺動ガイド部が突出する側と同一の側に少なくとも前記本体部と前記摺動ガイド部の自由端部との間隔と同じ長さ分突出する逃がしガイド部が形成されていることを特徴とする。
【００１２】
請求項５記載の発明は、前記第一の仕切板の左右端部と下端部には、前記収納箱と係合可能な係止片が配設されていることを特徴とする。
【００１３】
請求項６記載の発明は、前記第一の仕切板の左右端部と下端部には、前記収納箱と係合可能な係止片が配設され、前記第一の仕切板の左右端部の各係止片が、前記逃がしガイド部に配設され、前記第一の仕切板の下端部の係止片が、前記本体部に配設されていることを特徴とする。
【００１４】
請求項７記載の発明は、請求項１、２、３、４、５又は６のいずれか一項に記載の収納箱の仕切構造を備えていることを特徴とする。
【００１５】
請求項８記載の発明は、底壁部と、該底壁部と連接して対向する一対の側壁部と、該各側壁部を連結する背壁部と、該背壁部と対向する前壁部と、を備え、少なくとも各前記側壁部と、前記背壁部の上端部には、前記第二の仕切板の前記嵌合部が外嵌される外縁ガイド部が設けられ、少なくとも前記底壁部と、各前記側壁部には、前記第一の仕切板と係合可能な係止孔が配設されていることを特徴とする。
【００１６】
請求項９記載の発明は、前記底壁部に配設された係止孔は、平面視において、各前記側壁部に配設された対向する位置にある前記係止孔どうしを結んだ線上から外れた位置に形成されていることを特徴とする。
【発明の効果】
【００１７】
請求項１記載の発明では、第二の仕切板を、第一の仕切板と摺接する摺動板と、摺動板の上部に形成され摺動ガイド部の外側に嵌合される嵌合部と、を備える構成にしている。これにより、摺動板が第一の仕切板と面接触してガイドとして機能し、位置ブレを防止するので、それに伴い第二の仕切板の移動を安定させることができる。また、摺動ガイド部に嵌合部を嵌め外しするだけでよいので、第二の仕切板の着脱を容易にすることができる。さらに、収納箱の仕切構造を一体化させることなく、第一の仕切板を収納箱に装着した後に、第二の仕切板を装着することができる。
【００１８】
請求項２記載の発明では、第一の仕切板の摺動ガイド部を、断面略コ字状又は断面逆Ｕ字状に形成して、第二の仕切板の嵌合部を、それぞれ対応する断面略コ字状又は断面逆Ｕ字状に形成しているので、断面略コ字状又は断面逆Ｕ字状にした摺動ガイド部により、第一の仕切板の強度及び摺動ガイド部の厚みを確保することができる。また、摺動ガイド部及び嵌合部の形状を略同一にすることで嵌め合いをよくすることができる。
【００１９】
請求項３記載の発明では、第二の仕切板の嵌合部の自由端部に、摺動板側に突出して摺動ガイド部の自由端部と係合する突辺を設けている。これにより、摺動ガイド部の自由端部と係合する突辺がストッパーとなるので、第二の仕切板を移動させる際に脱落することがなくなり、第二の仕切板の移動を安定させることができる。
【００２０】
請求項４記載の発明では、摺動ガイド部と本体部の間に、摺動ガイド部が突出する側と同一の側に少なくとも本体部と摺動ガイド部の自由端部との間隔と同じ長さ分突出する逃がしガイド部を形成しているので、収納箱に収納されている収納物を上方に取り出す際、収納物を摺動ガイド部の垂直部に当ててしまい、収納物が破損することを防止することができる。
【００２１】
請求項５記載の発明では、第一の仕切板の左右端部と下端部に、収納箱と係合可能な係止片を配設している。これにより、第一の仕切板を三点で係合するとともに、第一の仕切板の形態が安定し、第二の仕切板の移動を安定させることができる。
【００２２】
請求項６記載の発明では、第一の仕切板の左右端部の各係止片を、逃がしガイド部に配設して、第一の仕切板の下端部の係止片を、本体部に配設している。
【００２３】
これにより、第一の仕切板の下端部の係止片を、平面視において、第一の仕切板の左右端部に配設された対向する位置にある係止片どうしを結んだ線上から外れた位置に形成することになり、取付方向を間違えれば、第一の仕切板と収納箱とを係止出来ないので装着不能となり、誤装着を防止することができる。
【００２４】
請求項７記載の発明では、収納箱に備えられている、上述した請求項１乃至５記載のうちのいずれかの収納箱の仕切構造の効果を奏することができる。
【００２５】
請求項８記載の発明では、収納箱の少なくとも各側壁部と、背壁部の上端部に、第二の仕切板の嵌合部が外嵌される外縁ガイド部を備えているので、第二の仕切板を外縁ガイド部に外嵌させることが可能となるため、収納物の形状、大きさに応じて収納スペースをフレキシブルにレイアウトすることができる。
【００２６】
また、少なくとも底壁部と、各側壁部に、第一の仕切板と係合可能な係止孔を配設しているので、第一の仕切板を三点で係合することになり、第一の仕切板の形態が安定し、第二の仕切板の移動を安定させることができる。
【００２７】
請求項９記載の発明では、底壁部に配設された係止孔を、平面視において、各側壁部に配設された対向する位置にある係止孔どうしを結んだ線上から外れた位置に形成している。これにより、取付方向を間違えれば、第一の仕切板と収納箱とを係止出来ないので装着不能となり、誤装着を防止することができる。
【図面の簡単な説明】
【００２８】
【図１】本発明における一実施形態の収納箱の仕切構造が取り付けられた状態を示す斜視図である。
【図２】図１におけるＧ部分の前壁部側から見た断面図である。
【図３】本実施形態の収納箱の仕切構造が取り付けられた状態の平面図である。
【図４】本実施形態の収納箱の仕切構造の第一の仕切板の斜視図である。
【図５】本実施形態の収納箱の第一の仕切板と第二の仕切板とを嵌合させた部分拡大断面図である。
【図６】本実施形態の収納箱の仕切構造の第二の仕切板の斜視図である。
【図７】本実施形態の収納箱の仕切構造の第二の仕切板の側面図である。
【図８】本実施形態の収納箱の仕切構造の取付状態を示す斜視図である。
【図９】図３におけるＨ−Ｈ間断面図である。
【図１０】図３におけるＫ−Ｋ間断面図である。
【図１１】摺動ガイド部の変形例を示す断面図である。
【図１２】摺動ガイド部及び嵌合部の他の変形例を示す断面図である。
【発明を実施するための形態】
【００２９】
本発明における収納箱の仕切構造の一実施形態を図面に基づいて説明する。以下の説明では、図１における底壁部２を下、その反対側を上とする。前壁部５側を前、背壁部４側を後ろとする。引き出し１００の場合の左右を左右方向、とする。
【００３０】
図１に示すように、引き出し（収納箱）１００は、収納箱の仕切構造（以下、「仕切構造」という。）１を備え、上部が開口した箱状に形成されている。
【００３１】
引き出し１００は、図１に示すように、金属で形成され、底壁部２と、底壁部２と連接して対向する一対の側壁部３と、各側壁部３を連結する背壁部４と、背壁部４と対向する前壁部５と、を備えている。
【００３２】
引き出し１００の各側壁部３と、背壁部４の上端部には、図１に示すように、後述する第二の仕切板９の嵌合部２０が外嵌される外縁ガイド部６を備えている。
【００３３】
外縁ガイド部６は、図２に示すように、各側壁部３及び背壁部４から直交して引き出し１００の外側に屈曲した水平部６１と、水平部６１から下方に延びて各側壁部３及び背壁部４と平行に屈曲した垂直部６２と、を備えて、断面略コ字状に形成されている。
【００３４】
引き出し１００は、図１に示すように、底壁部２と、各側壁部３に、第一の仕切板８と係合可能な係止孔７が配設されている。図３に示すように、底壁部２に配設された係止孔７１は、平面視において、各側壁部３に配設された対向する位置にある係止孔７２どうしを結んだ線上から外れた位置に形成されている。
【００３５】
仕切構造１は、図１に示すように、収納箱に係止される第一の仕切板８と、第一の仕切板８に着脱かつ摺動可能に係合される第二の仕切板９と、を備えている。
【００３６】
第一の仕切板８は、金属で形成され、図４に示すように、上端部に形成された摺動ガイド部１０と、摺動ガイド部１０の下方に形成された平板状の本体部１１と、を備えている。
【００３７】
摺動ガイド部１０は、図５に示すように、本体部１１に対し直交して屈曲した水平部１２と、水平部１２から下方に延びて本体部１１と平行に屈曲した垂直部１３と、を備えて、断面略コ字状に形成されている。
【００３８】
摺動ガイド部１０と本体部１１の間には、図４、９に示すように、水平部１２が屈曲する側と同一の側に突出する、逃がしガイド部１４が形成されている。逃がしガイド部１４は、本体部１１と垂直部１３との間隔と同じ長さ分突出している。
【００３９】
逃がしガイド部１４は、本体部１１から連接して側面視において斜め上方に屈曲した下傾斜壁部１５と、摺動ガイド部１０から連接して側面視において斜め下方に屈曲した上傾斜壁部１６と、下傾斜壁部１５及び上傾斜壁部１６とそれぞれ連接して本体部１１と平行に形成された平行壁部１７と、で構成されている。
【００４０】
第一の仕切板８の下端部と左右端部には、図４に示すように、引き出し１００と係合可能な係止片１８が配設されている。第一の仕切板８の下端部の係止片１８１は、第一の仕切板８の本体部１１の下端部中央に配設され、第一の仕切板８の左右端部の各係止片１８２は、逃がしガイド部１４の平行壁部１７に配設されている。
【００４１】
第二の仕切板９は、図６、７に示すように、ポリプロピレンで形成され、第一の仕切板８と摺接する摺動板１９と、摺動板１９の上部に形成され摺動ガイド部１０の外側に嵌合される嵌合部２０と、摺動板１９から第二の仕切板９の摺動方向と直交する方向に突出する板部２１と、を備えている。
【００４２】
第二の仕切板９の嵌合部２０は、図５に示すように、断面略コ字状で、自由端部に摺動板側に突出して垂直部１３の下端部（自由端部）と係合する突辺２２を有している
板部２１は、図６、７に示すように、上部の嵌合部２０側の角部分に、把持部２３を有している。把持部２３には、有底溝状の滑り止め２４が形成されている。
【００４３】
本実施形態の収納箱の仕切構造１の使用方法は、図８に示すように、引き出し１００の底壁部２に配設された係止孔７１に第一の仕切板８の下端部の係止片１８１を、各側壁部３に配設された各係止孔７２に逃がしガイド部１４に配設された各係止片１８２を、それぞれ挿入して、引き出し１００と、第一の仕切板８とを係止させる。
【００４４】
第二の仕切板９の嵌合部２０を、図９に示すように、第一の仕切板８の摺動ガイド部１０に外嵌させ、垂直部１３の下端部と突辺２２とを係合させる。把持部２３を手で把持して第二の仕切板９を摺動させて任意の位置に移動させる。
【００４５】
第二の仕切板９の嵌合部２０を、図１０に示すように、外縁ガイド部６に外嵌させ、第二の仕切板９を摺動させて任意の位置に移動させる。
【００４６】
レイアウトを変更する場合には、逆の手順で第二の仕切板９を移動、取り外して行なう。
【００４７】
本実施形態の収納箱の仕切構造１では、第二の仕切板９を、第一の仕切板８と摺接する摺動板１９と、摺動板１９の上部に形成され摺動ガイド部１０の外側に嵌合される嵌合部２０と、を備える構成にしている。これにより、摺動板１９が第一の仕切板８と摺接して位置が安定するので、それに伴い第二の仕切板９の移動を安定させることができる。また、摺動ガイド部１０に嵌合部２０を嵌め外しするだけでよいので、第二の仕切板９の着脱を容易にすることができる。さらに、収納箱の仕切構造１を一体化させることなく、第一の仕切板８を引き出し１００に装着した後に、第二の仕切板９を装着することができる。
【００４８】
また、第一の仕切板８の摺動ガイド部１０を、本体部１１から直交して屈曲した水平部１２と、水平部１２から下方に延びて本体部１１と平行に屈曲した垂直部１３と、を備える断面略コ字状に形成して、第二の仕切板９の嵌合部２０を、断面略コ字状で自由端部に摺動板１９側に突出して垂直部１３の下端部と係合する突辺２２を有するようにしている。これにより、摺動ガイド部１０及び嵌合部２０の形状を略同一にして嵌め合いをよくするとともに、垂直部１３の下端部と係合する突辺２２がストッパーとなるので、第二の仕切板９を移動させる際に脱落することがなくなり、第二の仕切板９の移動を安定させることができる。さらに、屈曲した水平部１２及び垂直部１３により、第一の仕切板８の強度及び摺動ガイド部１０の厚みを確保することができる。
【００４９】
また、板部２１の上部の嵌合部２０側の角部分に、把持部２３を有し、把持部２３に、滑り止め２４を形成しているので、板部２１の剛性の強い部分を手で持つことになるので、第二の仕切板９の移動、着脱を容易にすることができる。
【００５０】
また、摺動ガイド部１０と本体部１１の間に、水平部１２が屈曲する方向と同一方向に少なくとも本体部１１と垂直部１３との間隔と同じ長さ分突出する逃がしガイド部１４を形成しているので、引き出し１００に収納されている収納物を上方に取り出す際、収納物を摺動ガイド部１０の垂直部１３に当ててしまい、収納物が破損することを防止することができる。
【００５１】
また、第一の仕切板８の左右端部と下端部に、引き出し１００と係合可能な係止片１８１、１８２を配設している。これにより、第一の仕切板８を三点で係合するとともに、第一の仕切板８の形態が安定し、第二の仕切板９の移動を安定させることができる。
【００５２】
また、第一の仕切板８の左右端部の各係止片１８２を、逃がしガイド部１４の平行壁部１７に配設して、第一の仕切板８の下端部の係止片１８１を、本体部１１に配設している。
【００５３】
これにより、第一の仕切板８の下端部の係止片１８１を、平面視において、第一の仕切板８の左右端部に配設された対向する位置にある係止片１８２、１８２どうしを結んだ線上から外れた位置に形成することになり、取付方向を間違えれば、第一の仕切板８と引き出し１００とを係止出来ないので装着不能となり、誤装着を防止することができる。
【００５４】
また、引き出し１００の各側壁部３と、背壁部４の上端部に、第二の仕切板９の移動を案内する外縁ガイド部６を備え、外縁ガイド部６を、各側壁部３及び面部４１から直交して引き出し１００の外側に屈曲した水平部６１と、水平部６１から下方に延びて各側壁部３及び背壁部４と平行に屈曲した垂直部６２と、を備えて、断面略コ字状に形成している。これにより、摺動ガイド部１０と同様に、第二の仕切板９を外縁ガイド部６に外嵌させることが可能となるため、収納物の形状、大きさに応じて収納スペースをフレキシブルにレイアウトすることができる。
【００５５】
また、底壁部２と、各側壁部３に、第一の仕切板８と係合可能な係止孔７を配設しているので、第一の仕切板８を三点で係合することになり、第一の仕切板８の形態が安定し、第二の仕切板９の移動を安定させることができる。
【００５６】
また、底壁部２に配設された係止孔７１を、平面視において、各側壁部３に配設された対向する位置にある係止孔７２どうしを結んだ線上から外れた位置に形成している。これにより、取付方向を間違えても、第一の仕切板８と引き出し１００とを係止出来ないので、誤装着を防止することができる。
【００５７】
なお、逃がしガイド部１４の上傾斜壁部１６を、図１１に示すように、側面視において摺動ガイド部１０の上端から垂直部１３の下端と略同一の長さの位置で屈曲させて形成してもよい。この場合、第二の仕切板９を第一の仕切板８の面方向に関係なく両面に嵌合させることができる。
【００５８】
また、第一の仕切板８の強度及び摺動ガイド部１０の厚みを確保することができるものであれば、上記の実施形態に示した断面、嵌合状態には、こだわらない。例えば、図１２に示すように、摺動ガイド部１０Ａと、嵌合部２０Ａの断面を逆Ｕ字状に形成して、嵌合部２０Ａ自由端部に摺動板１９側に突出して摺動ガイド部１０Ａの自由端部と係合する突辺２２を形成することもできる。これにより、第一の仕切板８Ａの強度及び摺動ガイド部１０Ａの厚みを確保することができ、摺動ガイド部１０Ａ及び嵌合部２０Ａの形状を略同一にすることで嵌め合いをよくすることができる。また、第二の仕切板９Ａを移動させる際に脱落することがなくなり、第二の仕切板９Ａの移動を安定させることができる。
【００５９】
また、外縁ガイド部６を引き出し１００の各側壁部３と、背壁部４の上端部だけでなく、前壁部５側にも設けて、引き出し１００の外縁全周に備えるようにしてもよい。
【符号の説明】
【００６０】
１００  引き出し
１  仕切構造
２  底壁部
３  側壁部
４  背壁部
５  前壁部
６  外縁ガイド部
７  係止孔
７１  係止孔
７２  係止孔
８、８Ａ  第一の仕切板
９、９Ａ  第二の仕切板
１０、１０Ａ  摺動ガイド部
１１  本体部
１４  逃がしガイド部
１８  係止片
１８１  係止片
１８２  係止片
１９  摺動板
２０、２０Ａ  嵌合部
２１  板部
２２  突辺
【図１】
2012076800.tif 000003
【図２】
2012076800.tif 000004
【図３】
2012076800.tif 000005
【図４】
2012076800.tif 000006
【図５】
2012076800.tif 000007
【図６】
2012076800.tif 000008
【図７】
2012076800.tif 000009
【図８】
2012076800.tif 000010
【図９】
2012076800.tif 000011
【図１０】
2012076800.tif 000012
【図１１】
2012076800.tif 000013
【図１２】
2012076800.tif 000014